【事件の表示】
　特願２０１７−　１３４６１「偏光板」拒絶査定不服審判事件〔平成２９年　５月２５日出願公開，特開２０１７−　９０９２８，請求項の数（６）〕について，次のとおり審決する。
【結　論】
　原査定を取り消す。
　本願の発明は，特許すべきものとする。
【理　由】
１　手続の経緯
　本件拒絶査定不服審判事件に係る出願（以下，「本件出願」という。）は，２０１５年（平成２７年）１１月２６日（優先権主張　平成２７年８月７日）を国際出願日とする日本語特許出願（特願２０１６−５３５２５０号）の一部を平成２９年１月２７日に新たな特許出願としたものであって，同年３月３１日付けで拒絶理由が通知され，同年４月２４日に意見書が提出され，同年６月２９日付けで拒絶理由が通知され，同年１２月１９日付けで拒絶査定（以下，「原査定」という。）がなされたものである。
　本件拒絶査定不服審判は，これを不服として，平成３０年２月２０日に請求されたものであって，当審において，同年１１月１３日付けで拒絶理由（以下，「当審拒絶理由」という。）が通知され，平成３１年１月８日に意見書及び手続補正書（以下，当該手続補正書による補正を「本件補正」という。）が提出されたものである。
２　本件出願の請求項１ないし６に係る発明
　本件出願の請求項１ないし６に係る発明は，本件補正後の特許請求の範囲の請求項１ないし６に記載された事項によって特定されるとおりのものと認められるところ，請求項１ないし６の記載は次のとおりである。
「【請求項１】
　フィルム状の偏光子と，前記偏光子に重なる一つ又は複数の光学フィルムと，を備える偏光板であって，
　前記偏光板の受光面に垂直な方向における前記偏光板の四角形状の断面が，面取りされた角部を有し，
　前記偏光子の端部が，前記偏光板の外縁において露出しており，
　前記偏光板は，前記光学フィルムとして，離型フィルムを備え，
　前記離型フィルムは，前記偏光板の少なくとも一つの表面を構成しており，
　面取りされた前記角部は，前記離型フィルムの一部である，
偏光板。
　　【請求項２】
　前記光学フィルムとして，保護フィルムを備え，
　前記保護フィルムは，前記偏光板の一つの表面を構成しており，
　面取りされた前記角部は，前記保護フィルムの一部である，
請求項１に記載の偏光板。
　　【請求項３】
　フィルム状の偏光子と，前記偏光子に重なる一つ又は複数の光学フィルムと，を備える偏光板であって，
　前記偏光板の受光面に垂直な方向における前記偏光板の四角形状の断面が，面取りされた角部を有し，
　前記偏光板は，前記光学フィルムとして，第一保護フィルム及び第二保護フィルムを備え，
　前記第一保護フィルムが，前記偏光子の一方の表面に重なっており，
　前記第二保護フィルムが，前記偏光子の他方の表面に重なっており，
　前記第一保護フィルムの端部と前記第二保護フィルムの端部との間に挟まれた前記偏光子の端部が，前記偏光板の外縁において露出しており，
　前記偏光板は，前記光学フィルムとして，粘着層を介して前記第二保護フィルムに重なる離型フィルムを備え，
　前記離型フィルムは，前記偏光板の少なくとも一つの表面を構成しており，
　面取りされた前記角部は，前記離型フィルムの一部である，
偏光板。
　　【請求項４】
　前記光学フィルムとして，前記第一保護フィルムに重なる第三保護フィルムを備え，
　前記第三保護フィルムは，前記偏光板の一つの表面を構成しており，
　面取りされた前記角部は，前記第三保護フィルムの一部である，
請求項３に記載の偏光板。
　　【請求項５】
　前記偏光板の表面に位置する前記光学フィルムのみが面取りされている，
請求項１〜４のいずれか一項に記載の偏光板。
　　【請求項６】
　前記偏光板の両表面の其々に位置する前記光学フィルムのみが面取りされている，
請求項１〜５のいずれか一項に記載の偏光板。」（以下，請求項１ないし６に係る発明をそれぞれ「本件発明１」ないし「本件発明６」という。）
３　原査定の拒絶の理由の概要
　原査定の拒絶の理由は，概略，次のとおりである。
　本件出願の請求項１ないし６，９（本件補正前の請求項１ないし６，９）に係る発明は，その優先権主張の日より前に日本国内又は外国において頒布された刊行物である引用文献１（特開２０１２−２０３２０９号公報）に記載された発明であるから，特許法２９条１項３号に該当し，特許を受けることができないか，当該引用文献１に記載された発明に基づいて，その優先権主張の日より前にその発明の属する技術の分野における通常の知識を有する者が容易に発明をすることができたものであるから，同条２項の規定により特許を受けることができない。また，本件出願の請求項７，８（本件補正前の請求項７，８）に係る発明は，前記引用文献１に記載された発明に基づいて，その優先権主張の日より前にその発明の属する技術の分野における通常の知識を有する者が容易に発明をすることができたものであるから，同条２項の規定により特許を受けることができない。
４　当審拒絶理由の概要
　当審拒絶理由は，概略，次のとおりである。
（１）理由１（サポート要件違反，明確性要件違反）
　本件出願の請求項１，２，４，７ないし９（本件補正前の請求項１，２，４，７ないし９）に係る発明は，発明の詳細な説明の記載により当業者が発明の課題を解決できると認識できる範囲のものでなく，かつ，発明の詳細な説明の記載や示唆がなくとも当業者が出願時の技術常識に照らし発明の課題を解決できると認識できる範囲のものでもないから，本件出願は，特許請求の範囲の記載が，特許法３６条６項１号に規定する要件を満たしていない。
　また，本件出願の請求項９（本件補正前の請求項９）に係る発明は，明確でないから，本件出願は，特許請求の範囲の記載が，同項２号に規定する要件を満たしていない。
（３）理由２（新規性欠如，進歩性欠如）
　本件出願の請求項１，２，４，５，７ないし９（本件補正前の請求項１，２，４，５，７ないし９）に係る発明は，本件出願の優先権主張の日より前に頒布された又は電気通信回線を通じて公衆に利用可能となった引用文献Ａ（国際公開第２０１１／０１６５７２号）又は引用文献Ｂ（特開２０１１−５３６７３号公報）に記載された発明であるから，同法２９条１項３号に該当し，特許を受けることができないか，少なくとも，前記引用文献Ａ又は引用文献Ｂに記載された発明に基づいて，当業者が容易に発明をすることができるものであるから，同条２項の規定により特許を受けることができない。
５　原査定の拒絶の理由に対する判断
（１）引用例
　ア　引用文献１の記載
　原査定の拒絶の理由で引用された引用文献１（特開２０１２−２０３２０９号公報）は，本件出願の優先権主張の日より前に頒布された刊行物であって，当該引用文献１には次の記載がある。（下線は，後述する引用発明の認定に特に関係する箇所を示す。）
（ア）　「【技術分野】
【０００１】
　本発明は，端面加工偏光板の製造方法に関する。
【背景技術】
【０００２】
・・・（中略）・・・
【０００４】
・・・（中略）・・・トリアセチルセルロースフィルムを保護フィルムとした偏光板は，しばしば耐湿熱性や耐冷熱衝撃性に劣り，特に上記のように薄膜化された保護フィルムからなるものは，高温多湿または高低温繰り返し等の過酷な環境下で偏光性能の劣化を引き起こしたり，偏光フィルムが損傷を受けたりする場合があった。
【０００５】
　偏光板がしばしば耐湿熱性等に劣る理由としては，その構成要素であるトリアセチルセルロースフィルムの透湿度や吸水率が高いことが挙げられる。そこで，トリアセチルセルロースフィルムに代えて，上記薄肉化にも対応した，比較的低透湿性で低吸水性でもある延伸ポリエチレンテレフタレートフィルムを保護フィルムとすることも検討されている（たとえば特許文献１）。
【０００６】
　一方，偏光板を液晶表示装置に用いる場合，所定の形状および寸法に裁断する必要があり，また，裁断時の圧力による粘着剤のはみだしを除去するために，裁断後に端面を加工する必要がある。
・・・（中略）・・・
【発明が解決しようとする課題】
【００１０】
　そこで，本発明の目的は，延伸ポリエチレンテレフタレートフィルムを保護フィルムとする偏光板において，延伸ポリエチレンテレフタレートフィルムの剥離が生じることなく仕上げられ，かつ切削加工後の偏光板に衝撃を加えた場合においても剥離が生じることのない端面加工偏光板の製造方法を提供することにある。
【課題を解決するための手段】
【００１１】
　本発明によれば，ポリビニルアルコール系樹脂からなる偏光フィルムと，その表面に接着剤を介して積層されている延伸されたポリエチレンテレフタレートフィルムとを備え，長方形に裁断されている偏光板が，複数枚積み重ねられている偏光板積層体の端面を切削加工して，端面加工偏光板を製造する方法であって，
　上記偏光板積層体の切削加工されるべき端面に平行であって，厚み方向に平行に
回転軸が延びる円柱状回転体と，該円柱状回転体の側面の回転軸方向に沿って配設された複数の切削刃とを備える切削回転体を２つ用い，
　上記２つの切削回転体を上記偏光板積層体の向かい合う一対の第一の端面にそれぞれ配置し，それら２つの切削回転体を，それぞれの切削刃が上記偏光板積層体の切削加工されるべき端面を削り取るように当接させながら，それぞれの回転軸を中心に回転させ，上記偏光板積層体と上記切削回転体を相対移動速度が５００ｍｍ／分以上２０００ｍｍ／分以下となるように，相対的に平行移動させながら上記偏光板積層体の上記一対の第一の端面を同時に切削加工する第一の端面切削工程と，
　上記第一の切削工程で切削された上記偏光板積層体の上記一対の第一の端面とは異なる向かい合う一対の第二の端面に，上記２つの切削回転体をそれぞれ配置し，それら２つの切削回転体を，それぞれの切削刃が上記偏光板積層体の切削加工されるべき端面を削り取るように当接させながら，それぞれの回転軸を中心に回転させ，上記偏光板積層体と上記切削回転体を相対移動速度が５００ｍｍ／分以上２０００ｍｍ／分以下となるように，相対的に平行移動させながら上記偏光板積層体の上記一対の第二の端面を同時に切削加工する第二の端面切削工程と，
　上記第二の端面切削工程における切削開始時に上記切削回転体が当接される上記偏光板積層体の
２つの角部を切削除去する
をこの順で備える端面加工偏光板の製造方法が提供される。
・・・（中略）・・・
【発明の効果】
【００１５】
　本発明によれば，延伸ポリエチレンテレフタレートフィルムを保護フィルムとする偏光板において，端部の剥離が生じることなく仕上げられ，かつ切削加工後の偏光板に衝撃を加えた場合においても剥離が生じることのない端面加工偏光板の製造方法を提供することができる。」
（イ）　「【図面の簡単な説明】
【００１６】
【図１】本発明の切削方法の具体的方法を示す図である。
【図２】本発明の切削方法の具体的方法を示す図（図１の上部からみた図）である。
【００１７】
　　　図２（ａ）　第１の切削加工工程
　　　図２（ｂ）　第２の切削加工工程
　　　図２（ｃ）　角部切削加工工程」
（ウ）　「【発明を実施するための形態】
【００１８】
　＜フィルムの端面加工方法＞
　本発明の具体的な実施形態について図１，２，３により説明する。図１は，本発明における偏光板積層体の端面加工方法の一例を示す概略図である。偏光フィルムの少なくとも一方の面に接着剤を介して積層された延伸ポリエチレンテレフタレートフィルムを備えた偏光板の積層体Ｗは，長方形のフィルムを重ね合わせた直方体形であり，押さえ具２０，２１により積層体を挟持し固定される。
【００１９】
　また，下押さえ具２１には，積層方向ｚを中心として旋回する回転テーブル３１が，上押さえ具２０には上記旋回テーブル３１と同方向に回転する押し具３０が備えられており，上記旋回テーブル３１と上記押し具３０が同期して旋回させるようになっており，偏光板積層体Ｗを上下ずれることなく回転させることができる。
【００２０】
　図２は，図１に示す偏光板積層体の端面加工方法の一例を積層方向から見た図である。図２（ａ）は，本発明における第１の切削加工工程の一例であり，２つの切削刃を備えた回転体１０，１１が
偏光板積層体の向かい合う両端辺４１，４２
【００２１】
　図２（ｂ）は，本発明における第２の切削加工工程の一例であり，図２（ａ）に示す上記第１の切削加工後，図１に示す旋回テーブル３１と上記押し具３０により
積層体Ｗを９０度回転させて
第１の切削加工で切削された端辺４１，４２に直交した向かい合う端辺４３，４４
【００２２】
　図２（ｃ）は，本発明における偏光板積層体の角部切削工程の一例である。角部の切削においては，上記第２の切削加工後，
角部を切削回転体に当接させるように偏光板積層体Ｗを回転させることで加工する
角部５１，５２
・・・（中略）・・・
【００２６】
　本発明の端面加工偏光板の製造方法においては，上記切削回転体に対する上記偏光板積層体の相対移動速度は５００ｍｍ／分以上２０００ｍｍ／分以下である。切削速度が５００ｍｍ／分を下回る場合，偏光板積層体と切削刃との摩擦熱による端部焼付けおよび延伸ポリエチレンテレフタレートフィルムの剥離が生じ，また，切削速度が２０００ｍ／分を上回る場合は端面の仕上げが不十分となり偏光板端部にクラックが生じることがある。
・・・（中略）・・・
【００３０】
　＜偏光板＞
　本発明の切削方法に用いられる偏光板は，偏光フィルムの少なくとも一方の面に接着剤を介して延伸ポリエチレンテレフタレートが積層されている。
【００３１】
　（偏光フィルム）
　本発明に用いられる偏光フィルムは，特に限定されるものではないが，通常，公知の方法によってポリビニルアルコール系樹脂フィルムを一軸延伸する工程，ポリビニルアルコール系樹脂フィルムを二色性色素で染色することにより，二色性色素を吸着させる工程，二色性色素が吸着されたポリビニルアルコール系樹脂フィルムをホウ酸水溶液で処理する工程，およびホウ酸水溶液による処理後に水洗する工程を経て製造されるものである。
・・・（中略）・・・
【００４５】
　（延伸ポリエチレンテレフタレートフィルム）
　本発明に用いられる偏光板は，偏光フィルムの少なくとも一方の面に接着剤を介して延伸ポリエチレンテレフタレートフィルムが積層されている。・・・（中略）・・・
【００４８】
　（保護フィルム，光学補償フィルム）
　本発明に用いられる偏光板はまた，偏光フィルムの延伸ポリエチレンテレフタレートフィルムが積層された側とは反対側に，保護フィルムまたは光学補償フィルムが積層されていてもよい。・・・（中略）・・・
【００４９】
　（接着剤層）
　また，本発明に用いられる偏光板は，上述したように偏光フィルムの一方側に接着剤層を介して延伸ポリエチレンテレフタレートフィルムが積層され，また必要に応じて，偏光フィルムの延伸ポリエチレンテレフタレートフィルムが積層された側とは反対の面に保護フィルムまたは光学補償フィルムが積層される。・・・（中略）・・・
【００５０】
　（粘着剤層）
　上記偏光板には，当該偏光板を液晶セル等の他部材に貼合するための，粘着剤層を設けることができる。・・・（中略）・・・粘着剤層は，このような粘着剤を，・・・（中略）・・・離型処理が施されたプラスチックフィルム（セパレートフィルムと呼ばれる）上に形成されたシート状粘着剤を基材フィルムに転写する方法によっても設けることができる。・・・（中略）・・・
【００５１】
　（表面保護フィルム）
　また，上記偏光板の最外面には，保護フィルムの損傷やほこりの付着を防ぐ目的で粘着剤層を有する表面保護フィルム（プロテクトフィルムと呼ばれる）も設けることができる。」
（エ）　「【実施例】
【００５３】
　以下，実施例を示して本発明をさらに具体的に説明するが，本発明はこれらの例によって限定されるものではない。なお，これらの例中，含有量ないし使用量を表す％および部は，特記ないかぎり重量基準である。
【００５４】
　［延伸ポリエチレンテレフタレートフィルムを備えた端面加工用偏光板の製造例］
　平均重合度約２４００，ケン化度９９．９モル％以上で厚み７５μｍのポリビニルアルコールフィルムを，３０℃の純水に浸漬した後，ヨウ素／ヨウ化カリウム／水の重量比が０．０２／２／１００の水溶液に３０℃で浸漬した。その後，ヨウ化カリウム／ホウ酸／水の重量比が１２／５／１００の水溶液に５６．５℃で浸漬した。引き続き８℃の純水で洗浄した後，６５℃で乾燥して，
ポリビニルアルコールにヨウ素が吸着配向された偏光フィルム
【００５５】
　上述のようにして
得られた偏光フィルムの一方側に，厚み３８μｍの延伸ポリエチレンテレフタレートフィルム
反対側に
厚み７０μｍの延伸ノルボルネン系樹脂からなる光学補償フィルム
光硬化型接着剤を介して接着
【００５６】
　次いで，得られた偏光板の
延伸ポリエチレンテレフタレートフィルム外面に，粘着剤層を有するプロテクトフィルム
光学補償フィルム外面に
厚み２０μｍのアクリル系粘着剤の層
粘着剤層外面に離型処理が施されたセパレートフィルムを貼り合せて
このようにして得られた上記粘着剤層付き偏光板は，
７０７ｍｍ×４０１ｍｍのサイズ
切削加工用偏光板
【００５７】
　＜実施例１＞
　上記製造例にて得られた
切削加工用偏光板を４００枚積層し，
切削回転体１０，１１は，その位置を固定した状態にて回転軸を中心にそれぞれ４８００ｒｐｍの速度で回転させ，上記製造例にて得られた偏光板の積層体を移動速度１０００ｍｍ／分で
移動させながら第１の切削加工を行った
端面の切削量は１．０ｍｍとし，切削回転体は，その回転軸と偏光板積層体の厚み方向とのなす角度を０度になるように配置
【００５８】
　
次いで，偏光板積層体を回転させ，
第２の切削加工を行った
偏光板積層体の移動速度，偏光板積層体端面の切削量，切削回転体の回転速度および切削回転体の配置は，上記第１の切削加工と同条件
【００５９】
　
次いで，上記第２の切削加工後，
偏光板積層体を回転させ，上記第２の切削加工で切削開始時に当接された２つの角部（図２（ｂ）の角部５１，５２）をそれぞれ切削加工
角部切削量Ａはいずれも０．７５ｍｍ
（オ）　「【図１】
【図２】　　　　　　　　　　　　　　　　　　　　　　　　　　　　　
」
　イ　引用文献１に記載された発明
　前記ア（ア）ないし（オ）で摘記した記載を含む引用文献１の全記載から，引用文献１に，実施例１に係る端面加工偏光板に関する発明として，次の発明が記載されていると認められる。
「７０７ｍｍ×４０１ｍｍのサイズの切削加工用偏光板の端面を，下記［端面切削方法］によって切削加工してなる端面加工偏光板であって，
　前記切削加工用偏光板は，
ポリビニルアルコールにヨウ素が吸着配向された偏光フィルムと，
前記偏光フィルムの一方側に光硬化型接着剤を介して接着された厚み３８μｍの延伸ポリエチレンテレフタレートフィルムと，
前記偏光フィルムの反対側に光硬化型接着剤を介して接着された厚み７０μｍの延伸ノルボルネン系樹脂からなる光学補償フィルムと，
前記延伸ポリエチレンテレフタレートフィルム外面に設けられた粘着剤層を有するプロテクトフィルムと，
前記光学補償フィルム外面に設けられた厚み２０μｍのアクリル系粘着剤層と，
前記アクリル系粘着剤層の外面に貼り合わされた，離型処理が施されたセパレートフィルムとからなる，
　端面加工用偏光板。
［端面切削方法］
　切削加工用偏光板を４００枚積層し，
　前記切削加工用偏光板の積層体の切削加工されるべき端面に平行であって，厚み方向に平行に回転軸が延びる円柱状回転体と，前記円柱状回転体の側面の回転軸方向に沿って配設された複数の切削刃とを備える２つの切削回転体１０，１１を，その位置を固定した状態で回転軸を中心にそれぞれ４８００ｒｐｍの速度で回転させ，前記切削加工用偏光板の積層体を移動速度１０００ｍｍ／分で移動させながら，前記切削加工用偏光板の積層体の向かい合う両端辺４１，４２に対して，切削量が１．０ｍｍとなる第１の切削加工を行い，
　次いで，前記切削加工用偏光板の積層体を９０度回転させ，前記切削加工用偏光板の積層体の移動速度，端面の切削量，前記切削回転体１０，１１の回転速度及び配置は，前記第１の切削加工と同条件にして，前記第１の切削加工で切削された前記端辺４１，４２に直交した向かい合う端辺４３，４４に対して，第２の切削加工を行い，
　次いで，前記切削加工用偏光板の積層体を回転させ，前記第２の切削加工で切削開始時に当接された２つの角部５１，５２を，角部切削量０．７５ｍｍでそれぞれ切削除去する。」（以下，「引用発明」という。）
（２）本件発明１について
　ア　対比
（ア）　技術的にみて，引用発明の「偏光フィルム」，「端面加工偏光板」及び「離型処理が施されたセパレートフィルム」は，本件発明１の「フィルム状の偏光子」，「偏光板」及び「離型フィルム」にそれぞれ相当し，引用発明の「延伸ポリエチレンテレフタレートフィルム」，「光学補償フィルム」，「プロテクトフィルム」及び「セパレートフィルム」は，いずれも，本件発明の「光学フィルム」に該当する。
（イ）　引用発明は，「偏光フィルム」（本件発明１の「フィルム上の偏光子」に対応する。以下，「ア　対比」欄において，「」で囲まれた引用発明の構成に付した（）中の文言は，当該引用発明の構成に対応する本件発明１の発明特定事項を指す。）と，「偏光フィルム」の一方側に接着された「延伸ポリエチレンテレフタレートフィルム」（光学フィルム）と，「偏光フィルム」の反対側に接着された「光学補償フィルム」（光学フィルム）と，「延伸ポリエチレンテレフタレートフィルム」の外面に設けられた「プロテクトフィルム」（光学フィルム）と，「光学補償フィルム」の外面にアクリル系粘着剤層を介して貼り合わされた「セパレートフィルム」（光学フィルム，離型フィルム）とを備える「端面加工偏光板」（偏光板）であるから，フィルム状の偏光子と，前記偏光子に重なる複数の光学フィルムと，を備える偏光板であって，前記偏光板は，前記光学フィルムとして，離型フィルムを備える，偏光板であるといえる。
　したがって，引用発明は，本件発明１と，「フィルム状の偏光子と，前記偏光子に重なる一つ又は複数の光学フィルムと，を備える偏光板であって，前記偏光板は，前記光学フィルムとして，離型フィルムを備える，偏光板」である点で一致する。
（ウ）　引用発明の［端面切削方法］からみて，引用発明の「偏光フィルム」（偏光子）の端部が，「端面加工偏光板」（偏光板）の外縁において露出していることは，技術的に自明である。
　したがって，引用発明は，本件発明１と，「偏光子の端部が，偏光板の外縁において露出して」いる点で一致する。
（エ）　引用発明において，「端面加工偏光板」の一方の側の最外層は，「セパレートフィルム」（離型フィルム）であるから，離型フィルムが，偏光板の一つの表面を構成しているといえる。
　したがって，引用発明は，本件発明１と，「離型フィルムは，偏光板の少なくとも一つの表面を構成している」点で一致する。
（オ）　引用発明の［端面切削方法］からみて，引用発明の「端面加工偏光板」（偏光板）は，その受光面と平行な方向における四角形状の断面が，面取りされた角部を有しており，当該面取りされた角部が，「セパレートフィルム」（離型フィルム）の一部であるとの構成を有するものの，前記受光面に垂直な方向における四角形状の断面が，面取りされた角部を有していないことは，技術的に自明である。
（カ）　前記（ア）ないし（オ）に照らせば，本件発明１と引用発明は，
「フィルム状の偏光子と，前記偏光子に重なる一つ又は複数の光学フィルムと，を備える偏光板であって，
　前記偏光子の端部が，前記偏光板の外縁において露出しており，
　前記偏光板は，前記光学フィルムとして，離型フィルムを備え，
　前記離型フィルムは，前記偏光板の少なくとも一つの表面を構成している，
偏光板。」
である点で一致し，次の点で相違する。
相違点：
　本件発明１では，偏光板の受光面に垂直な方向における偏光板の四角形状の断面が，面取りされた角部を有し，当該面取りされた角部が，離型フィルムの一部であるのに対して，
　引用発明では，偏光板の受光面に平行な方向における偏光板の四角形状の断面が，面取りされた角部を有し，当該面取りされた角部が，離型フィルムの一部であるとの構成を有しているものの，前記受光面に垂直な方向における偏光板の四角形状の断面は，面取りされた角部を有していない点。
　イ　判断
　前記相違点は，実質的な相違点であるから，本件発明１は引用発明と同一ではない。
　また，引用文献１には，端面加工偏光板の受光面に垂直な方向における端面加工偏光板の四角形状の断面が，面取りされた角部を有し，当該面取りされた角部が，セパレートフィルムの一部であるよう構成することは，記載も示唆もされていない。また，そのように構成することが，本件出願の優先権主張の日より前に，公知であったことを示す証拠も見当たらない。したがって，本件発明１は，引用発明に基づいて，当業者が容易に発明をすることができたものとはいえない。
（３）本件発明２について
　請求項２は，請求項１の記載を引用する形式で記載されたものであって，本件発明２は，本件発明１の発明特定事項を全て含み，さらに限定を付加したものに相当するところ，前記（２）イで述べたとおり，本件発明１が，引用発明と同一でなく，かつ，引用発明に基づいて，当業者が容易に発明をすることができたものではない以上，本件発明２も同様の理由により，引用発明と同一でなく，かつ，引用発明に基づいて，当業者が容易に発明をすることができたものではない。
（４）本件発明３について
　本件発明３は，前記（２）ア（カ）で認定した相違点に係る本件発明１の構成と同じ構成を具備しているから，本件発明３と引用発明は，少なくとも，前記相違点と同様の点で相違する。
　したがって，前記（２）イで述べたのと同様の理由によって，本件発明３は，引用発明と同一でなく，かつ，引用発明に基づいて，当業者が容易に発明をすることができたものではない。
（５）本件発明４ないし６について
　請求項４は，請求項３の記載を引用する形式で記載されたものであって，本件発明４は，本件発明３の発明特定事項を全て含み，さらに限定を付加したものに相当するところ，前記（４）で述べたとおり，本件発明３が，引用発明と同一でなく，かつ，引用発明に基づいて，当業者が容易に発明をすることができたものではない以上，本件発明４も同様の理由により，引用発明と同一でなく，かつ，引用発明に基づいて，当業者が容易に発明をすることができたものではない。
　また，請求項５，６は，請求項１又は３の記載を直接又は間接的に引用する形式で記載されたものであって，本件発明５，６は，本件発明１又は３の発明特定事項を全て含み，さらに限定を付加したものに相当するところ，前記（２）及び（４）で述べたとおり，本件発明１及び３が，いずれも，引用発明と同一でなく，かつ，引用発明に基づいて，当業者が容易に発明をすることができたものではない以上，本件発明５，６も同様の理由により，引用発明と同一でなく，かつ，引用発明に基づいて，当業者が容易に発明をすることができたものではない。
（６）小括
　前記（２）ないし（５）のとおりであって，本件発明１ないし６は，いずれも，引用発明と同一ではなく，引用発明に基づいて当業者が容易に発明をすることができたものでもないから，原査定の拒絶の理由によって，本件出願を拒絶することはできない。
６　当審拒絶理由に対する判断
（１）理由１（サポート要件違反，明確性要件違反）について
　本件補正によって，各請求項に係る発明は，発明の詳細な説明の記載により当業者が発明の課題を解決できると認識できる範囲のもののみとなったから，理由１のうちサポート要件違反は解消した。
　また，本件補正によって，明確性要件に違反していた本件補正前の請求項９が削除されたから，理由１のうち明確性要件違反も解消した。
（２）理由２（新規性欠如，進歩性欠如）について
　本件補正によって，本件出願の各請求項から，理由２（新規性欠如，進歩性欠如）の対象とされていた請求項（本件補正前の請求項１，２，４，５，９，当該請求項１，２，４，５の記載を引用する本件補正前の請求項７，８）が削除され，本件発明１ないし６は，理由２（新規性欠如，進歩性欠如）の対象とされていなかった請求項（本件補正前の請求項３及び６，当該請求項３又は６の記載を直接又は間接的に引用する本件補正前の請求項７，８）に係る発明のみとなった。
　したがって，理由２（新規性欠如，進歩性欠如）によって，本件出願を拒絶することはできない。
７　むすび
　以上のとおり，原査定の理由によっては，本件出願を拒絶することはできない。
　また，他に本件出願を拒絶すべき理由を発見しない。
　よって，結論のとおり審決する。